(57)【要約】【課題】高機能のカメラをその周辺部品とともに筐体内に組み込む際の有利な構造を与えることによって、高性能のカメラを備えた携帯電子機器の小型化を実現するための具体的方途について提案する。【解決手段】電子部品の内蔵される第１筐体１２と、第２筐体１３とを有し、前記第１筐体１２と前記第２筐体１３とをヒンジ構造１１を介して揺動可能に連結した携帯電子機器であって、前記ヒンジ構造１１は、前記第１筐体１２から突出させた中空の凸部１４を、前記第２筐体１３の端縁に設けた凹部１５に嵌め込むとともに互いを回動可能に軸支して構成され、前記第１筐体１２の前記凸部１４の内部には、前記電子部品２９との間で電気的に接続される第１基板３４と、前記第２筐体１３内から配される第１のケーブルが接続されるコネクタ２７ｂとが配され、前記第１基板１２は、前記凸部１４の突出方向側の面に前記コネクタ２７ｂが接合され、前記突出方向と反対側に前記電子部品２９が配置される。【選択図】図１１
2007318687.tif 000002
【特許請求の範囲】
【請求項１】
電子部品の内蔵される第１筐体と、第２筐体とを有し、前記第１筐体と前記第２筐体とをヒンジ構造を介して揺動可能に連結した携帯電子機器であって、
前記ヒンジ構造は、前記第１筐体から突出させた中空の凸部を、前記第２筐体の端縁に設けた凹部に嵌め込むとともに互いを回動可能に軸支して構成され、
前記第１筐体の前記凸部の内部には、前記電子部品との間で電気的に接続される第１基板と、前記第２筐体内から配される第１のケーブルが接続されるコネクタとが配され、
前記第１基板は、前記凸部の突出方向側の面に前記コネクタが接合され、前記突出方向と反対側に前記電子部品が配置されていることを特徴とする携帯電子機器。
【請求項２】
前記凸部は、前記コネクタの最長手方向が前記ヒンジ構造の回動軸方向に一致するように配されることを特徴とする請求項１に記載の携帯電子機器。
【請求項３】
前記電子部品は、焦点切り替えレバーを有するカメラであり、
前記凸部には、外側に一部が露出されるとともに前記凸部内部にて前記焦点切り替えレバーに係合する操作ノブが移動可能に配され、
前記第１基板には、前記操作ノブの移動に伴い操作され、前記カメラの制御を切り換えるスイッチが設けられていることを特徴とする請求項１または２に記載の携帯電子機器。
【請求項４】
前記第１筐体の内部には、ディスプレイと、当該ディスプレイへの信号供給を行う第２基板とが内包され、
前記第２基板は、前記第１のケーブルとは独立して前記第２筐体内から配される第２のケーブルが電気的に接続されている請求項１、２または３のいずれか一項に記載の携帯電子機器。
【発明の詳細な説明】
【技術分野】
【０００１】
本発明は、携帯電子機器、中でもヒンジ構造を介して２つの筐体を揺動可能に連結した携帯電子機器に関するものである。
【背景技術】
【０００２】
携帯電話やＰＤＡ（Personａl Ｄigitａl Ａssistａnt）を典型例とする携帯電子機器は、そのディスプレイ上により多くの情報を表示するために、ディスプレイが大型化する傾向にあり、それに伴いディスプレイ部分と操作部分とを分割して機器の操作性を向上する形態のものが主流となっている。中でも、ヒンジ構造を介して２つの筐体を揺動可能に連結した、いわゆる折り畳み形式が特に携帯電話機に用いられている。
【０００３】
この種の折り畳み形式の携帯電話機では、前記した利点があるものの、折り畳んだ際の厚みが持ち運びに不適当であることが問題になる。とりわけ、近年の携帯電話機は、多機能化が進められた結果、カメラやモバイル機能が組み込まれて部品点数が増加し、これらを内包する筐体の厚み増加も余儀なくされている。
【０００４】
かような技術的背景から、筐体内における部品の配置や組み込み構造を工夫して、筐体を薄肉化する試みがなされている。
例えば、小型化が難しいカメラ部品について、特許文献１には、ヒンジを構成する突出部の内部空間を含む筐体内にカメラ部を配置することが記載されている。
【特許文献１】特開２００５−１２４１２７号公報
【発明の開示】
【発明が解決しようとする課題】
【０００５】
ところが、近年、携帯電話機に組み込まれるカメラについても多機能化が進み、例えば光学系の焦点距離の切り替え機能を付加したり、カメラ機能の制御ソフト用の回路基板を組み込む等、カメラ周辺部品の点数も増加の傾向にあり、これが筐体の薄型化を阻害する要因になっている。
【０００６】
この点、特許文献１には、カメラ部の収容手法について記載されているが、その周辺部品の収め方まで提案するものではなく、特に高機能のカメラを組み込む際のカメラ並びにその周辺部品の組み込み構造を具体的に提示することは、製品の小型化に当り不可欠である。
【０００７】
そこで、本発明は、高機能のカメラをその周辺部品とともに筐体内に組み込む際の有利な構造を与えることによって、高性能のカメラを備えた携帯電子機器の小型化を実現するための具体的方途について提案することを目的とする。
【課題を解決するための手段】
【０００８】
すなわち、本発明は、電子部品の内蔵される第１筐体と、第２筐体とを有し、前記第１筐体と前記第２筐体とをヒンジ構造を介して揺動可能に連結した携帯電子機器であって、
前記ヒンジ構造は、前記第１筐体から突出させた中空の凸部を、前記第２筐体の端縁に設けた凹部に嵌め込むとともに互いを回動可能に軸支して構成され、前記第１筐体の前記凸部の内部には、前記電子部品との間で電気的に接続される第１基板と、前記第２筐体内から配される第１のケーブルが接続されるコネクタとが配され、前記第１基板は、前記凸部の突出方向側の面に前記コネクタが接合され、前記突出方向と反対側に前記電子部品が配置されていることを特徴とする携帯電子機器である。
【０００９】
また、本発明において、前記凸部は、前記コネクタの最長手方向が前記ヒンジ構造の回動軸方向に一致するように配されることが好ましい。
【００１０】
同様に、前記電子部品は、焦点切り替えレバーを有するカメラであり、前記凸部には、外側に一部が露出されるとともに前記凸部内部にて前記焦点切り替えレバーに係合する操作ノブが移動可能に配され、前記第１基板には、前記操作ノブの移動に伴い操作され、前記カメラの制御を切り換えるスイッチが設けられていることが好ましい。
【００１１】
さらに、前記第１筐体の内部には、ディスプレイと、当該ディスプレイへの信号供給を行う第２基板とが内包され、前記第２基板は、前記第１のケーブルとは独立して前記第２筐体内から配される第２のケーブルが電気的に接続されていることが好ましい。
【発明の効果】
【００１２】
本発明によれば、高機能のカメラをその周辺部品とともに筐体内のデッドスペースに効率良く組み込めるため、高性能のカメラを備えかつ薄型の携帯電子機器の提供が可能となる。
【発明を実施するための最良の形態】
【００１３】
以下、本発明を実施するための最良の形態について図面を参照して説明する。図１は、本発明の一実施の形態に係る折り畳み形式の携帯電話機の側面図である。図２は、図１の携帯電話機の閉じた状態の斜視図である。図３は、図１の携帯電話機の開いた状態の斜視図である
図１に示すように、携帯電子機器である携帯電話機１０は、ヒンジ構造１１を介して２つの筐体、第１筐体１２及び第２筐体１３を揺動可能に連結してなり、図２に示すように、第１筐体１２及び第２筐体１３はヒンジ構造１１を中心に折り畳むことができる。第１筐体１２の外表面には、後述するカメラ２９のレンズ面が位置するカメラ窓１２ａが設けられている。
【００１４】
このヒンジ構造１１は、図３に示すように、第１筐体１２から折り畳んで閉状態としたときに第２筐体１３に向かう方向（ディスプレイ１６に対して垂直な表示視認方向）に突出させた中空の凸部１４を、第２筐体１３の端縁の略中央が切り欠かれて形成される凹所１５に納められて構成される。さらに第２筐体１３の凹所１５の両脇には離間して一対のヒンジ軸受け１３ａ及び１３ｂが設けられ、このヒンジ軸受け１３ａ及び１３ｂは第１筐体１２の短手方向における凸部１４の両側面に設けられたヒンジ部品１４ａ、１４ｂ（図１１参照）に、それぞれ回動可能に組み付けられて互いに第１筐体１２は第２筐体１３に軸支される。また、ヒンジ軸受け１３ａとヒンジ部品１４ａ、ヒンジ軸受け１３ｂとヒンジ部品１４ｂのぞれぞれの組は、一方（この例では１３ａと１４ａの組）が互いの筐体の開状態、閉状態を保持するための回動方向に対する付勢手段が内蔵され、他方（この例では１３ｂと１４ｂの組）は内部が筒状に形成されて第１筐体１２内部と第２筐体１３内部とを結ぶケーブル２８ａ、２８ｂが挿通される。
【００１５】
また、図示例で第１筐体１２は、少なくともディスプレイ１６、カメラ２９（電子部品の一例）、ディスプレイ用のメイン基板１９（第２基板）、及びカメラ基板３４（第１基板）を内包する。
図４は、本発明の携帯電話機の分解斜視図である。図４に示すように、第１筐体１２は、メイン表示器（ディスプレイ）１６が装着される下ケース１７、ディスプレイ１６の背面に取り付けられて補強および静電対策を行う補強板金１８、メイン基板１９、サブ表示器２０を保持したサブ表示器ホルダ２１が装着される上ケース２２、及び化粧パネル（加飾プレート）２３を有しており、これら各部材を記載順に積み重ねて組み立てられている。また、下ケース１７には、前記凸部１４が設けられている。なお、プレス成形により形成される補強板金１８は、薄板状のメイン表示器１６を補強すると共に表示器の静電気対策を兼ねており、サブ表示器ホルダ２１の枠部を取り付けて位置決め固定するための爪（係止手段）１８ａを４個有している。この爪１８ａは、例えば、板金からの切り起こしにより別部品を設けることなく形成され、サブ表示器ホルダ２１の枠部に４箇所設けられた爪受け部に挿入係止する。
【００１６】
メイン基板１９には、メイン表示器１６の駆動用デバイス等（図示しない）が実装されており、上ケース２２の外表面に取り付けられる化粧パネル２３には、サブ表示器２０の表示面を露出させる開口２２ａ、２３ｂが開口している。化粧パネル２３の開口２３ｂには、アクリル樹脂等の透明部材からなるカメラレンズカバー２３ａが装着される。
【００１７】
第２筐体１３は、下ケース２４及び上ケース２５と、これらの間で挟持されるとともに操作キー（図示しない）が装着されている下側回路基板（図示しない）とを有しており、これら各部材を記載順に積み重ねて組み立てられている。さらに下側回路基板への給電を行う駆動用のバッテリ（図示しない）が下ケース２４外面に設けられたバッテリー収納部に装着された後、バッテリリッド２６によりバッテリー収納部は蓋がされる。
【００１８】
さらに、前記化粧パネル２３および上ケース２２を取り外した状態の第１筐体１２を、図５に示す。図５に示すように、化粧パネル２３及び上ケース２２を取り外した状態の第１筐体１２の補強板金１８の上には、主にディスプレイ１６の駆動用回路や第１のケーブル２８ａが接続されて第２筐体１３からの給電や描画信号や音声信号などの導通を行うＬＣＤコネクタ端子２７を搭載したメイン基板１９が載置され、このメイン基板１９とは別途に、カメラ２９及びそのカメラ基板やメイン基板１９から音声信号が供給されるスピーカ３１等をまとめたカメラモジュール２４が、メイン基板１９に隣り合うように配される。
【００１９】
特にカメラモジュール２４は、少なくともカメラ基板とカメラの一部は凸部１４内に入り込むように下ケース１７に形成した凸部１４の設けられる領域に組み込まれている。そして、第１のケーブル２８ａは、第２筐体１３内の回路基板からヒンジ部品１４ｂを介してカメラモジュール２４下を経由し、メイン基板１９とカメラモジュール２４との間の隙間を通ってメイン基板１９の実装面上に引き回された上でＬＣＤコネクタ端子２７ａに接続され、メイン基板１９と第２筐体１３側の回路基板とを複数のラインにて接続導通している。その際、カメラ基板３４には電気的には接続されない。
【００２０】
そして、複数のラインの中にはグランド（基準電位）ラインが含まれ、メイン基板１９に第２筐体１３側の回路基板と等しくなるよう基準電位が供給されるグランドラインのパターンが形成されることとなる。また、補強板金１８はメイン基板の補強板金に対向する面に設けられたグランドパターンに当接して基準電位に維持されている。
【００２１】
図６は、カメラモジュールの分解斜視図である。図６に示すように、カメラモジュール２４は、カメラ２９と、カメラ２９の底面に装着するカメラベース３０とからなり、図示例の場合は、カメラモジュール２４をスピーカ３１が組み込まれるスピーカホルダ３２に形成したカメラホルダ部３２ａにカメラ２９を組み入れ一体化させた形にて、下ケース１７に形成した凸部１４内の、第１筐体１２内部空間と連続する空間内に組み込まれる。このスピーカホルダ３２は、カメラ２９とスピーカ３１を固定すると共に、表面の金属コーティングによりシールドされている。
【００２２】
カメラベース３０は、カメラ関連機能部品（後述する操作ノブ４４が摺動可能に端部にて取り付けられる非導電性のマクロホルダ）３３とカメラ基板３４とをカメラ２９の底面側から順に積層して配置したものである。マクロホルダ３３には、静電気対策用のヒンジ側グランド板金３５が装着され、カメラ基板３４には、静電気対策用のカメラ基板３４、タブ３６とマクロスイッチ３７が設置されている。
【００２３】
なお、マクロホルダ３３にはレール３３ｂが形成されており、このレール部３３ｂに、押し子と係合部の形成される操作ノブ４４（図２参照）が摺動可能に取り付けられる。また、カメラ２９はレンズの焦点距離を変更させるレバー２９ａを備えており、操作ノブ４４がスライドされるとレバー２９ａを係合部にて動かして焦点距離を変更しつつ、カメラ基板３４上のマクロスイッチ３７を押し子で押圧する。この押圧されて生じる信号はケーブル２８ｂを介して下側回路基板上の図示しない制御部に伝達され、制御ソフト上もカメラからの入力信号が標準撮影モードとマクロ（近接撮影）モードとで切り替えがなされたことを検出できるよう構成され、カメラ２９の焦点距離並びに制御ソフトの同時切り替えを可能とする。
【００２４】
次に図７は、カメラベース３０にヒンジ側グランド板金３５、を装着する状態を説明する斜視図である。図８は、カメラ用基板に装着されたヒンジ側グランド板金３５を示す斜視図である。図７に示すように、ヒンジ側グランド板金３５は、挟持部３５ａと、挟持部３５ａの一端に連続するカメラ基板用の第１接点部３５ｂ、及び挟持部（係合部）３５ａの他端に連続するサブ基板用の第２接点部３５ｃを有している。ヒンジ側グランド板金３５は、金属製の薄い板体を屈曲して形成されて弾性を有しており、マクロホルダ３３を挟持部３５ａにより挟み込み、マクロホルダ３３の固定爪３３ａを挟持部３５ａの孔３５ｄに係止させて、マクロホルダ３３に固定装着され、マクロホルダのスピーカホルダ３２（カメラホルダ）側（すなわちカメラ２９への対向面側）に第１接点部３５ｂを、カメラ基板３４側に第２接点部３５ｃをそれぞれ導通可能に配されることになる。（図８参照）。
【００２５】
図９は、ヒンジ側グランド板金３５及びカメラ基板タブとスピーカホルダ３２の接触箇所を示し、（ａ）は斜視説明図、（ｂ）はスピーカホルダ３２の裏面の斜視図である。図９に示すように、マクロホルダ３３に装着される（図８参照）ヒンジ側グランド板金３５は、第１接点部３５ｂをスピーカホルダ３２の裏面側の接触面３２ｂに接触させると共に、第２接点部３５ｃをカメラ基板３４に接触させている。また、カメラ基板３４のカメラ基板タブ３６は、金属製の板バネからなり、その接点３６ａは、スピーカホルダ３２の裏面側の接触面３２ｃに接触させている。なお、図の簡略化のためにマクロホルダ３３は省略している。
【００２６】
また、カメラ基板３４は、第２筐体１３内の回路基板からヒンジ部品１４ｂを介してカメラ基板３４の裏面（スピーカホルダ３２の配される面の裏側の面）まで引き回される第２のケーブル２８ｂがカメラ基板３４の裏面に設けられるカメラ基板コネクタ端子２７ｂに接続されて、第２筐体１３側の回路基板との間で複数のラインにて接続導通される。ところでこのコネクタ２７ｂは多くの接続ピンを有するため、その配列方向となる一辺が特に長く形成される矩形状の外観を有している。
凸部１４の内部は、一対のヒンジ軸受け１３ａ、ｂ間の方向においては一定の幅を保ちつつ、突出方向において略先細り状に形成されている。コネクタ２７ｂは、その長辺の方向がヒンジ軸受け１３ａ、ｂ間方向（すなわち回転軸方向）に一致するようにカメラ基板３４の凸部１４突出方向側の面に配されて、カメラ基板３４が凸部１４内に配されると凸部１４内の最深部に干渉することなく収まるように構成されている。
【００２７】
また、後述するように、外部からの静電気の対策のための構造や電気的接続がカメラ基板３４の一方の面にて行われるが、コネクタ２７ｂはこの対策面とは反対側に配されるため静電気の影響も少なくすることが出来る。
なお、メイン基板１９と第２筐体１３側との電気的接続をはかるためのケーブル２８ａは、ケーブル２８ｂとは別系統で設けられ、図３や図５に示すように、前記カメラモジュール２４とメイン基板１９との間を通る経路にてメイン基板１９のコネクタ２７ａに接続される。
そして、ケーブル２８ａ、２８ｂ内に含まれる複数のラインの中にはグランド（基準電位）ラインが含まれ、これらがそれぞれのコネクタを用いて接続導通することにより、メイン基板１９およびカメラ基板３４にそれぞれ形成されるグランドラインのパターンに、第２筐体１３側の回路基板のグランドパターンと等しくなるよう基準電位が供給されることとなる。
【００２８】
また、カメラ基板タブ３６は、カメラ基板３４のカメラ基板コネクタ端子２７ｂから基準電位接続されるグランドパターン上に半田付けされて基準電位に維持されている。さらに、第２接点部３５ｃは同じくカメラ基板３４のグランドパターン上に形成される接点に当接して導通する。これらにより、スピーカホルダ３２は２系統でカメラ基板３４のグランドパターン、ひいては第２筐体１３内の下側回路基板のグランドと導通することとなる。
【００２９】
図１０は、ヒンジ側グランド板金３５とスピーカホルダ３２の接触状態を示す説明図である。図１０に示すように、カメラ基板３４の上に組み込まれたヒンジ側グランド板金３５は、第１接点部３５ｂと第２接点部３５ｃが何れも撓んだ状態になり、第１接点部３５ｂをスピーカホルダ３２の接触面３２ｂに、第２接点部３５ｃをカメラ基板３４に、それぞれ圧接させた状態になる。
このように、ヒンジ側グランド板金３５により、カメラ２９が組み込まれたスピーカホルダ（カメラホルダ）３２とカメラ基板（サブ基板）３４との間に静電気経路が形成されることになる。
【００３０】
図１１は、第１筐体側の第１筐体グランド板金３８の取り付け状態を示し、（ａ）はグランド板金取り付け前の斜視説明図、（ｂ）はグランド板金取り付け後の斜視説明図である。図１１に示すように、第１筐体１２の凸部１４内側には、メイン基板１９が配置される側の所定箇所に、第１筐体グランド板金３８が取り付けられ固定されている。図１２は、第１筐体グランド板金の斜視図である。図１２に示すように、第１筐体グランド板金３８は、係止部３８ａと、係止部３８ａの一端に連続するメイン基板用の第１接点部３８ｂ、及び係止部３８ａの他端に連続するスピーカホルダ用の第２接点部３８ｃを有している。第１筐体グランド板金３８は、金属製の薄い板体により形成されてバネ性を有しており、係止部３８ａにより第１筐体１２の凸部１４内に形成されたリブに固定装着される（図１１参照）。つまり、ヒンジ側グランド板金３５及び第１筐体グランド板金３８により、導電性のスピーカホルダ（カメラホルダ）３２を介して、メイン基板（ディスプレイ基板）１９及びカメラ基板（サブ基板）３４との間でグランド接続されることとなる。
【００３１】
さらに、図１１（Ｃ）にて凸部１４内の空洞にカメラモジュール２４を組み込む順序を説明する。まず、第２筐体１３のヒンジ軸受１３ｂ内を介して伸ばされている２本のケーブル２８ａ、ｂのそれぞれのコネクタ２７ａ、ｂを順にヒンジ部品１４ｂをくぐらせる。そしてコネクタ２７ａをメイン基板１９に設けた雌コネクタに、コネクタ２７ｂをカメラ基板３４に設けた雌コネクタにそれぞれ接合する。そしてケーブル２８ａ側は図４にて示したように、ディスプレイ１６、補強板金１８、メイン基板１９、サブ表示器２０を保持したサブ表示器ホルダ２１の順に下ケース１７に装着される。次にケーブル２７ｂ側、すなわち凸部１４内側は、空洞内部からケーブル２８の挿通される状態でヒンジ部品１４ｂを第２筐体１３のヒンジ軸受１３ｂに挿通されるよう嵌め込む。またヒンジ部品１４ａについても第２筐体１３のヒンジ軸受１３ａに挿通されるよう嵌め込むとともに、不図示のストッパーを組み込んでヒンジ部品１４ａ、ｂがヒンジ軸受１３ａ、ｂから抜け落ちないようにする。これによりヒンジ１１が回動可能となる。そして、カメラ２９を取り付けたカメラベース３０を、ヒンジ部品１４ａ、ｂ間にてコネクタ２７ｂがヒンジ軸線方向に長手方向が一致する向きで凸部１４内空洞に組み込む。その上で、カメラ２９を覆うように位置するようにスピーカホルダ（カメラホルダ）３２を取り付けることになる。
【００３２】
また、図１３は、第１筐体グランド板金３８とメイン基板及びスピーカホルダの静電気対策用接触箇所を示す斜視説明図である。図１３に示すように、凸部１４に装着された（図１１参照）第１筐体グランド板金３８は、第１接点部３８ｂをメイン基板１９の表面側の接触面１９ａに接触させると共に、第２接点部３８ｃをスピーカホルダ３２の表面側の接触面３２ｄに接触させている。つまり、第１筐体グランド板金３８は、メイン基板１９及びスピーカホルダ３２が凸部１４に取り付けられた後に、凸部１４内のメイン基板１９とスピーカホルダ３２間のリブに取り付けられて、第１接点部３８ｂ及び第２接点部３８ｃの何れもメイン基板１９及びスピーカホルダ３２に、上方から接触して導通させている。
【００３３】
ところで、静電気の進入経路を図２を用いて説明しておく。携帯電話機１０において想定される静電気が進入し易い箇所は隙間のある箇所であり、スピーカホルダ３２及びカメラベース３０付近に関する場合、化粧パネル２３のカメラレンズカバー２３ａに設けたフラッシュ部の窓Ａとカメラ部の窓Ｂ、スピーカ部の放音用の孔Ｃ、及びマクロノブ４４の露出部Ｄがある。
このような静電気の進入経路に対し、静電気対策用の経路を説明する。フラッシュ部の窓Ａ・カメラ部の窓Ｂについては、フラッシュ部の窓Ａ（カメラ部の窓Ｂ）→カメラレンズカバー２３ａ（裏側面の窓周縁に導電性メッキ処理されている）→メイン基板タブ１９ａ（カメラレンズカバー２３ａ裏に当接する）→メイン基板１９のグランドヘ導通して分散されるような経路となる。なお、カメラ部の窓Ｂについては、カメラ部の窓Ｂ→カメラレンズカバー２３ａ→カメラ基板３４タブ３６→スピーカホルダ３２→第１筐体グランド板金３８→メイン基板１９のグランドへの経路としても良い。
【００３４】
スピーカ部の孔Ｃについては、スピーカ部の孔Ｃ→スピーカホルダ３２→第１筐体グランド板金３８→メイン基板１９のグランドへの経路となる。操作ノブ４４の筐体への取り付け箇所における隙間からの静電気侵入については、操作ノブ４４→ヒンジ側グランド板金３５又はサブ板タブ３６→スピーカホルダ３２→第１筐体グランド板金３８→メイン基板１９のグランドへの経路となる。このように、カメラ２９とマクロスイッチ３７などのカメラ関連部品のみのカメラ基板３４を設け、メイン基板１９とは別系統で、ケーブル２８ｂで操作キー側の下側回路基板へ直接引き回すことを実現したカメラ基板３４上に、静電気対策用のヒンジ側グランド板金３５と、静電気対策用のカメラ基板タブ３６を搭載し、外部（ヒンジ部周辺）から入ってきた静電気をメイン基板１９のグランドへ導くための経路を確保している。そして、このようにスピーカホルダを導電材料で構成し、さらにメイン基板、カメラ基板との隙間にて薄い板金で構成した２つのグランド板金により接続することで、隙間を効率よくして機器が大型化することも無く、カメラ基板３４へ進入する静電気をケーブル２８ｂのみで下側回路基板のグランドに逃がす場合に比べてもう１系統のラインを設けることができ、それぞれのグランドライン系統における導電量を分散できて強力なグランドラインを確保するばかりでなく、ケーブル２８ｂにて流れるカメラの制御信号線への悪影響を少しでも少なくすることができる。
【００３５】
また、カメラ２９を組み入れ一体化させたスピーカホルダ３２を通して、外部から入ってきた静電気をグランドに導くための経路として、第１筐体１２に第１筐体グランド板金３８を追加してメイン基板１９のグランドに静電気を導く。
従って、これら静電気対策用のグランド板金３５、３８により、複数の経路でカメラへの確実に静電気をメイン（ＬＣＤ）基板１９あるいは下側回路基板のグランドに導くことができる。
【００３６】
そして、ヒンジ側グランド板金３５は、バネの挟み込む形状を利用してマクロホルダ３３に装着した後、固定爪３３ａにより固定している。これにより、順に上から落とし込むように組み立てられているので、組み込み性を損なわずに静電気対策を施すことができる。また、グランドを、スピーカホルダ３２を介して、カメラベース３０とメイン基板１９を接続している。これにより、スピーカホルダ３２を介して静電気（加えて、ノイズ等）対策を施すことができる。また、カメラベース３０とメイン基板１９が分かれる構造において、２つの基板を繋ぐことでグランドの強化ができる。
【００３７】
更に、カメラ２９が組み込まれたスピーカホルダ３２から、カメラ基板３４或いはメイン基板１９とそれぞれのケーブル２７ａ、ｂを通って、下ケース２４の下側回路基板のバッテリ側グランドに繋がる経路、即ち、２系統の静電気経路がループ状に形成されるので、インピーダンスが低下した状態で安定し、スピーカホルダ３２のカメラ２９に対するシールド性能が向上する。
【００３８】
以上の構成により、本発明によれば、ヒンジ構造のために必要となる筐体の凸部内の特に部品実装スペースとして使用しにくい狭所に、カメラなどの電子部品やコネクタを効率よく配することが出来、筐体内部を有効に利用して機器をコンパクトにまとめることが出来るようになる。
【００３９】
また、先細り形状となりがちな凸部内部であっても、ヒンジ構造を得るためのヒンジ軸受け間の領域は、突出先端まで一定の長さが維持される。よって、コネクタの配置方向について、最も長手となる方向がヒンジ構造におけるヒンジ回動軸に一致するように配することにより、最もデッドスペースとなりがちな凸部の突出方向の先端部分を極力有効に利用することが出来ることになり、筐体内部スペースの有効利用にさらに貢献することが出来る。
【００４０】
さらに、凸部内部にカメラなどの電子部品およびその関連部品を局所的にまとめたことにより、例えば焦点切り換え構造のようなレバーの操作とスイッチの操作といった複数の動作を要して物理的に移動を要するような部品を必要とする場合であっても、互いの作用点が近接して配されるため、ヒンジ構造周辺を用いて部品をコンパクトにまとめることが出来る。また、操作ノブのような人の手により触れる必要のある部品であった場合は筐体外表面に少なくとも一部を露出させなければならないが、操作される対象となる部品がヒンジ構成をなす凸部にてまとまっているため、そもそも外表面の有効に利用されていない凸部の表面にて操作ノブの一部を露出させるよう構成することが出来、有限である筐体の外表面も有効に利用することが出来る。
【００４１】
ところで、ケーブルの基板への接続には、雄コネクタと雌コネクタがそれぞれ基板とケーブルとに設けられ、これらが接合されることにより信号送受が行えるよう構成されているのが一般的であり、ケーブルの要する信号線の数によりコネクタのピン数が決定される。すなわち信号線数が多くなればなるほどコネクタの外形が大きくなってしまう。ところが、ディスプレイ制御やカメラ制御が複雑化し、近年、ケーブルは多数の信号線を要するようになってきている。さらに、第１筐体と第２筐体とが揺動可能に接続されている場合、このようなケーブルはヒンジ構造内部のヒンジ軸受け内を挿通させて互いの筐体内の基板を接続させているが、コネクタの外形が大きくなってしまうとこのヒンジ軸受けを挿通させることが困難になる場合もある。このような場合、ヒンジ軸受けの形状に工夫を加えて挿通可能にすることも考えられるが、その場合は汎用品の利用が困難になる。しかし、本発明の実施形態にて説明したようにケーブルを２８ａ、ｂの二つに分けることにより、それぞれのコネクタを小型化できるためにヒンジ軸受けへの挿通が容易となり、使用する部品の選択範囲が広がり、ひいては工数削減・コストダウンに貢献することも出来る。また、コネクタを複数に分け、上述したように少なくとも一つのコネクタをデッドスペースとなる狭所を用いて納められるようにしているため、デッドスペースではないメイン基板上などにてコネクタに割くスペースを極力小さくできるため、機器の小型化に貢献することが出来る。
【００４２】
なお、本発明の説明について、携帯電子機器として携帯電話機を例に用いて説明したがこれに限定されるものではなく、PＤＡやPHS、ポータブルゲーム機やポータブルナビゲーションシステムなどの小型化を要する類の電子機器であれば適用可能であることは言うまでもない。
【図面の簡単な説明】
【００４３】
【図１】本発明の一実施の形態に係る折り畳み形式の携帯電話機の側面図である。
【図２】図１の携帯電話機の閉じた状態の斜視図である。
【図３】図１の携帯電話機の開いた状態の斜視図である。
【図４】本発明の携帯電話機の分解斜視図である。
【図５】携帯電話機の一方の筐体の内部構造を示す斜視図である。
【図６】カメラモジュールの分解斜視図である。
【図７】マクロホルダにヒンジ側グランド板金を装着する状態を説明する斜視図である。
【図８】マクロホルダに装着されたヒンジ側グランド板金を示す斜視図である。
【図９】ヒンジ側グランド板金及びカメラ基板タブとスピーカホルダの接触箇所を示し、（ａ）は斜視説明図、（ｂ）はスピーカホルダの裏面の斜視図である。
【図１０】ヒンジ側グランド板金とスピーカホルダの接触状態を示す説明図である。
【図１１】第１筐体側のグランド板金の取り付け状態を示し、（ａ）はグランド板金取り付け前の斜視説明図、（ｂ）はグランド板金取り付け後の斜視説明図、（ｃ）は凸部内へカメラモジュールを組み込んだ状態を示す側面図である。
【図１２】第１筐体グランド板金の斜視図である。
【図１３】第１筐体グランド板金、とメイン基板及びスピーカホルダの静電気対策用接触箇所を示す斜視説明図である。
【符号の説明】
【００４４】
１０  携帯電話機
１１  ヒンジ構造
１２  第１筐体
１２ａ  カメラ窓
１３  第２筐体
１３ａ、１３ｂ  ヒンジ軸受け
１４  凸部
１５  凹所
１６  メイン表示器、
１７、２４  下ケース
１８  補強板金
１９  メイン基板
２０  サブ表示器
２１  サブ表示器ホルダ
２２、２５  上ケース
２３  化粧パネル
２３ａ  カメラレンズカバー
２６  バッテリリッド
２７ａ、ｂ  コネクタ端子
２８ａ、ｂ  ケーブル
２９  カメラ
３０  カメラベース
３１  スピーカ
３２  スピーカホルダ
３２ａ  カメラホルダ部
３３  カメラ関連機能部品（マクロホルダ）
３３ａ  固定爪
３４  カメラ基板
３５  ヒンジ側グランド板金、
３５ａ  挟持部
３５ｂ、３８ｂ  第１接点部
３５ｃ、３８ｃ  第２接点部
３５ｄ  孔
３６  カメラ基板タブ
３７  マクロスイッチ
３８  第１筐体グランド板金
３８ａ  係止部
４４  操作ノブ
Ａ  フラッシュ部の窓
Ｂ  カメラ部の窓
Ｃ  スピーカ部の孔
Ｄ  操作ノブの露出部
【図１】
2007318687.tif 000003
【図２】
2007318687.tif 000004
【図３】
2007318687.tif 000005
【図４】
2007318687.tif 000006
【図５】
2007318687.tif 000007
【図６】
2007318687.tif 000008
【図７】
2007318687.tif 000009
【図８】
2007318687.tif 000010
【図９】
2007318687.tif 000011
【図１０】
2007318687.tif 000012
【図１１】
2007318687.tif 000013
【図１２】
2007318687.tif 000014
【図１３】
2007318687.tif 000015